(57)【要約】  【課題】操作表示部を備えた扉の高級感を高めるとともに、組立て作業性、サービス性に優れた冷蔵庫を提供する。  【解決手段】操作表示部３２を収納し操作表示部３２を含めた側面蓋体３６の前面を覆う化粧板４８を有し、化粧板４８の右端面には化粧板４８を挟む固定部品３９を配置し、化粧板４８は透明樹脂で成形され裏面５３に塗装を施しているので、操作表示部３２を備えた冷蔵庫２８の扉の高級感が得られ、扉全体の意匠性が高まる。【選択図】図１
2006153357.tif 000002
【特許請求の範囲】
【請求項１】
外板と、内板と、上蓋体と、下蓋体と、側面蓋体とからなる空間に充填発泡された断熱材とで構成される扉を備えた冷蔵庫において、前記側面蓋体の前面を覆う化粧板と前記化粧板の固定部品を有し、前記化粧板は前記側面蓋体と固定部品に挟まれる状態で配置し、前記化粧板は裏面塗装を施したことを特徴とする冷蔵庫。
【請求項２】
上下に複数の扉を備え、前記複数の扉の側面蓋体の前面を覆う化粧板を最上部から最下部まで直線的に同一幅で構成したことを特徴とする請求項１に記載の冷蔵庫。
【請求項３】
扉の側面蓋体に操作表示部を備え、前記操作表示部を前面より覆うカバーを有し、前記カバーの裏面に塗装を施した化粧板を設けたことを特徴とする請求項１または２に記載の冷蔵庫。
【請求項４】
前記化粧板の塗装等を透かして表示ランプの点灯が表面から可視できることを特徴とする請求項３に記載の冷蔵庫。
【請求項５】
前記固定部品はメッキ等の装飾を施し、前記化粧板の固定部を隠すことを特徴とする請求項３または４に記載の冷蔵庫。
【発明の詳細な説明】
【技術分野】
【０００１】
本発明は、扉の意匠性を高める冷蔵庫に関するものである。
【背景技術】
【０００２】
近年、扉表面に冷蔵庫の温度等を操作する操作部分を取付けた冷蔵庫がある（例えば、特許文献１参照）。
【０００３】
以下、図面を参照しながら上記従来の冷蔵庫を説明する。
【０００４】
図５は特許文献１に記載された従来の冷蔵庫の正面図である。図６は、図５のＡ−Ａ線断面図である。図７は従来の冷蔵庫の操作表示部の分解斜視図である。
【０００５】
図５、６、７において、１は冷蔵庫本体であり、上段から冷蔵室２、野菜室３、室内温度切替えが可能な切替え室４、冷凍室５、製氷室６を備えている。
【０００６】
冷蔵室扉７はヒンジ式の開閉可能な扉で、野菜室３、切替え室４、冷凍室５、製氷室６の前面には引出し扉８、９、１０、１１が設けられている。ハンドル１２は冷蔵室２の扉３に設けられ、ハンドル１２の高さ方向上方に設けられた操作表示部１３を備えている。１４は鋼板性の外板で、蓋体１５、１６は外板１４の上下両端部に嵌め込まれている。内板１７は外板１４の後方に配されている。断熱材１８は外板１４、蓋体１５、１６、内板１７の間に充填され一体発泡される。
【０００７】
楕円部１９は外板１４に形成されており、折り曲げ部２０は楕円部１９の一部に形成されている。平面部２１は楕円部１９の円縁部に形成されている。収納部２２は樹脂で形成され、外板１４の裏面から係合し断熱材１８と一体発泡される。リブ２３は収納部２２に一体に成形され、固定溝２４は折り曲げ部２０を固定するためのものである。基板２５の表面をボタン押圧部２６、表面カバー２７で覆っている。
【特許文献１】特開２００４−１１６７８８号公報
【発明の開示】
【発明が解決しようとする課題】
【０００８】
しかしながら、上記従来の構成では、裏面塗装を施したような表示カバーを取り付けるためには、表示カバーの裏面に取付け用ツメを配置するか、両面テープにより固定するしかなかった。取付け用ツメを配置すると、裏面塗装をしてもツメ形状や、金型の分割線等が表面側から可視され、冷蔵庫の品位を落としてしまう。また、両面テープによる固定では、表示基板交換時等に化粧板を破壊してしまい、サービス性の悪い冷蔵庫になってしまう。
【０００９】
本発明は、上記従来の課題を解決するもので、意匠性、操作性を高めるとともに、組立て作業性、サービス性に優れた冷蔵庫を提供することを目的とする。
【課題を解決するための手段】
【００１０】
上記従来の課題を解決するために、本発明の冷蔵庫は、外板と、内板と、上蓋体と、下蓋体と、側面蓋体とからなる空間に充填発泡された断熱材とで構成される扉を備えた冷蔵庫において、前記側面蓋体の前面を覆う化粧板と固定部品を有し、前記化粧板は前記側面蓋体と前記固定部品に挟まれる状態で配置し、前記化粧板は裏面塗装を施したものである。
【００１１】
これにより、裏面塗装を施し厚み感を持った化粧板を扉の上端から下端まで連続して形成することで冷蔵庫の扉の高級感が得られる。
【００１２】
また、操作表示部は一体発泡された扉に化粧板を取付ける前に固定したものである。
【００１３】
これにより、扉の組立て作業性、サービス性が向上する。
【発明の効果】
【００１４】
本発明の冷蔵庫は、扉の高級感が得られ、扉のみならず冷蔵庫全体の意匠性が高まる。また、扉の組立て作業性が向上することで、コスト低減が図れるとともに、着脱性が向上することで、サービス性が向上する。
【発明を実施するための最良の形態】
【００１５】
請求項１に記載の発明は、外板と、内板と、上蓋体と、下蓋体と、側面蓋体とからなる空間に充填発泡された断熱材とで構成される扉を備えた冷蔵庫において、前記側面蓋体の前面を覆う化粧板と前記化粧板の固定部品を有し、前記化粧板は前記側面蓋体と固定部品に挟まれる状態で配置し、前記化粧板は裏面塗装を施し、厚み感を持たせたものであり、扉の高級感が得られ、扉の意匠性が高まる。
【００１６】
請求項２に記載の発明は、請求項１に記載の発明において、上下に複数の扉を備え、前記複数の扉の側面蓋体の前面を覆う化粧板を最上部から最下部まで直線的に同一幅で構成したものであり、扉のスッキリ感、統一性が得られ、扉のみならず冷蔵庫全体の意匠性が高まる。
【００１７】
請求項３に記載の発明は、請求項１または２に記載の発明において、扉の側面蓋体に操作表示部を備え、前記操作表示部を前面より覆うカバーを有し、前記カバーの裏面に塗装を施した化粧板を設けたものであり、操作表示部を備えた扉の高級感が得られ、扉の意匠性が高まる。
【００１８】
請求項４に記載の発明は、請求項３に記載の発明において、前記化粧板の塗装等を透かして表示ランプの点灯が表面から可視できるものであり、操作表示部を備えた扉の高級感が得られ、扉の意匠性が高まる。
【００１９】
請求項５に記載の発明は、請求項３または４に記載の発明において、前記固定部品はメッキ等の装飾を施し、前記化粧板の固定部を隠すものであり、操作表示部の表示部を含めた扉の高級感が得られ、扉全体の意匠性が高まる。
【００２０】
以下、本発明の実施の形態について、図面を参照しながら説明する。なお、この実施の形態によってこの発明が限定されるものではない。
【００２１】
（実施の形態１）
図１は本発明の実施の形態１における冷蔵庫の正面図である。図２は、同実施の形態の冷蔵庫の冷蔵室扉の分解斜視図である。図３は、図１のＢ−Ｂ線断面図である。図４は、同実施の形態の冷蔵庫の化粧板の裏面斜視図である。
【００２２】
図１から３において、２８は冷蔵庫本体で、上段から冷蔵室２９、冷凍室３０が設けられている。冷蔵室２９、冷凍室３０にはヒンジ式の開閉可能な冷蔵室扉３１、冷凍室扉３２が設けられている。また、冷蔵室扉３１の前面には冷蔵庫２８の運転状態を操作あるいは表示する操作表示部３２を有している。
【００２３】
次に、冷蔵室扉３１の構造について説明する。冷蔵室扉３１は鋼鈑製の外板３３と、外板３３の上下両端部に嵌め込まれた上蓋体３４、下蓋体３５と、回転式の冷蔵室扉３１の回転軸（ヒンジ）と逆側の側面蓋体３６と、外板３３の後方に配される内板３７とより構成される。
【００２４】
そして、外板３３の側面蓋体３６に嵌合する外板３３は上端から下端まで連続するＬ字曲げ部３８を形成し、側面蓋体３６と外板３３とを固定する固定部品３９が設けられている。側面蓋体３６には溝４０が設けられ前記固定部品３９と前記外板３３のＬ字曲げ部３８が挿入される。上蓋体３４と下蓋体３５は、組み込まれた側面蓋体３６と外板３３と固定部品３９とを挟みこみ固定される。そして外板３３、上蓋体３４、下蓋体３５、側面蓋体３６、内板３７とで形成した空間に断熱材４１が充填発泡される。また、側面蓋体３６の略中央部には凹部３７を設け、操作表示部３２を収納する。
【００２５】
操作表示部３２は、基板４２と、周囲を液晶ホルダー４３で保持された液晶パネル４４と、基板４２上に配置したスイッチを押圧する操作ボタン４５を備えた操作部材４６とよりなり、凹部３７に保持されている。
【００２６】
また、透明樹脂で成形され裏面４７に塗装を施した化粧板４８は冷蔵室扉３１と、冷凍室扉３２にも同様に設け、冷蔵庫２８の最上部から最下部まで直線的に同一幅で構成している。
【００２７】
上記化粧板４８を、外板３３、上蓋体３４、下蓋体３５、側面蓋体３６、内板３７とで形成した空間に断熱材４１が充填発泡された冷蔵室扉３１の側面蓋体３６の前面を覆うように取り付ける。このとき、化粧板４８に設けている奥側に突設した複数のツメ４９により前面より装着し、その後、上方に移動することでツメ４９が側面蓋体３６の突起５１と、固定部品３９の凹部５２に嵌合し固定される。そして、その後、化粧板４８の下面からビスにより固定する。
【００２８】
以上、説明したように、本発明による実施の形態では、操作表示部３２は断熱材４１が充填発泡された冷蔵室扉３１に、化粧板４８を取付ける前に保持されているので、化粧板４８には、操作表示部３２を保持するための突起等の形状を設置することなく取付けられるので、化粧板４８の裏面は突起のない平面を確保することができ、塗装処理をしても、表面側に突起形状が現れることがない。
【００２９】
また、断熱材４１が充填発泡された冷蔵室扉３１の側面蓋体３６の前面を覆うように取り付けた化粧板４８を上蓋体３４と下蓋体３５に接するように連続して配置しているので、扉の高級感が得られ、扉の意匠性が高まる。
【００３０】
また、透明樹脂で成形され裏面５３に塗装を施した化粧板４８は冷蔵室扉３１と、冷凍室扉３２にも同様に設け、冷蔵庫２８の最上部から最下部まで直線的に同一幅で構成しているので、上下に複数の扉を備えた冷蔵庫において、扉のスッキリ感、統一性が得られ、扉のみならず冷蔵庫全体の意匠性が高まる。
【産業上の利用可能性】
【００３１】
以上のように、本発明にかかる冷蔵庫は、扉の高級感が得られ、扉のみならず冷蔵庫全体の意匠性が高まるので、操作表示部を備えた冷却貯蔵庫等の用途にも適用できる。
【図面の簡単な説明】
【００３２】
【図１】本発明の実施の形態１における冷蔵庫の正面図
【図２】同実施の形態の冷蔵庫の冷蔵室扉の分解斜視図
【図３】図１のＢ−Ｂ線断面図
【図４】同実施の形態の冷蔵庫の化粧板の裏面斜視図
【図５】従来の冷蔵庫の正面図
【図６】図５のＡ−Ａ線断面図
【図７】従来の冷蔵庫の操作表示部の分解斜視図
【符号の説明】
【００３３】
２８  冷蔵庫
３１  冷蔵室扉
３２  操作表示部
３３  外板
３４  上蓋体
３５  下蓋体
３６  側面蓋体
３７  内板
４１  断熱材
４８  化粧板
５３  裏面
【図１】
2006153357.tif 000003
【図２】
2006153357.tif 000004
【図３】
2006153357.tif 000005
【図４】
2006153357.tif 000006
【図５】
2006153357.tif 000007
【図６】
2006153357.tif 000008
【図７】
2006153357.tif 000009